(57)【要約】【課題】  小型で製造コストの低いマルチスタンダードＴＶ受信機を提供する。【解決手段】  多様なＴＶ標準方式およびフォーマットのＴＶ信号を受信するのに適合したプログラマブル中間周波数を有するマルチスタンダードチャネルフィルタ（５８）を含むＴＶ受信機を提供する。一つの実施例では、受信機にチューナ（５４）とチャネルフィルタとを備える。チューナは、多数のフォーマットの一つで情報を符号化した入力ＲＦ信号を受け、それら入力ＲＦ信号を中間周波（ＩＦ）信号に変換する。この中間周波信号をチャネルフィルタに供給する。このチャネルフィルタは、中間周波信号フィルタ処理用の折返し除去フィルタ（６０）と、これらフィルタ処理ずみの中間周波信号をサンプリングしてその中間周波信号のディジタル表示を生ずるＡ−Ｄ変換器（６２）と、この中間周波信号ディジタル表示を入力ＲＦ信号のフォーマットにしたがって信号処理するシグナルプロセッサ（６４）とを備える。このシグナルプロセッサが、上記入力ＲＦ信号の中に符号化されている情報を表すディジタル出力信号を生ずる。【選択図】図２
2007519365.tif 000002
【特許請求の範囲】
【請求項１】
入力無線周波数（ＲＦ）信号を受信するとともに、その入力ＲＦ信号、すなわち複数のフォーマットの一つで情報を符号化した入力ＲＦ信号を中間周波数を有する中間周波信号に変換するチューナと、
前記中間周波信号を受けるチャネルフィルタであって、
前記中間周波信号をフィルタ処理する折返し除去フィルタと、
前記フィルタ処理ずみの中間周波信号をサンプリングするとともにそれら中間周波信号のディジタル表示を生ずるアナログ−ディジタル（Ａ−Ｄ）変換器と、
前記入力ＲＦ信号の前記フォーマットにしたがって前記中間周波信号の前記ディジタル表示を信号処理するシグナルプロセッサであって、前記入力ＲＦ信号に符号化されて含まれる情報を表すディジタル出力信号を生ずるシグナルプロセッサと
を含むチャネルフィルタと
を含み、
前記折返し除去フィルタの中心周波数および前記Ａ−Ｄ変換器のサンプリング周波数が前記中間周波数の関数である受信機。
【請求項２】
前記複数のフォーマットがアナログテレビジョンフォーマットとディジタルテレビジョンフォーマットとを含む請求項１記載の受信機。
【請求項３】
前記シグナルプロセッサからの出力信号をそれぞれ受けるように接続され、前記入力ＲＦ信号のフォーマットの一つにしたがって前記ディジタル出力信号をそれぞれ復調し、前記入力ＲＦ信号の前記フォーマットにそれぞれ対応するビデオベースバンド信号およびオーディオベースバンド信号をそれぞれ生ずる複数の復調器
をさらに含む請求項１記載の受信機。
【請求項４】
前記シグナルプロセッサと前記複数の復調器の初めの一つとの間に接続され、前記ディジタル出力信号をアナログフォーマットに変換するＡ−Ｄ変換器。
【請求項５】
前記中間周波数が、世界中の技術標準の特定する周波数値を含む請求項１記載の受信機。
【請求項６】
前記中間周波数が、世界中の技術標準の特定する周波数値以外の値を含む請求項１記載の受信機。
【請求項７】
（削除）
【請求項８】
前記フィルタが、前記中心周波数および前記サンプリング周波数を前記中間周波数由来の周波数値に調整する同調制御回路をさらに含む請求項１記載の受信機。
【請求項９】
前記折返し除去フィルタがトランスコンダクタンス（ｇｍＣ）フィルタ機能を有する請求項１記載の受信機。
【請求項１０】
前記Ａ−Ｄ変換器が１０ビット変換器である請求項１記載の受信機。
【請求項１１】
前記シグナルプロセッサが、複数の有限インパルス応答（ＦＩＲ）フィルタの一つを前記中間周波信号の前記ディジタル表示に適用し、前記複数のＦＩＲの各々が前記入力ＲＦ信号のフォーマットに対応している請求項１記載の受信機。
【請求項１２】
前記複数のＦＩＲフィルタをメモリに蓄積し、前記シグナルプロセッサが前記複数のＦＩＲフィルタの一つを読み出すように前記メモリに索引付けする請求項１１記載の受信機。
【請求項１３】
前記シグナルプロセッサが第１の演算ユニットと第２の演算ユニットとを含み、前記第１の演算ユニットが前記ＦＩＲフィルタ動作の実数部を信号処理し、前記第２の演算ユニットが前記ＦＩＲフィルタの虚数部を信号処理する請求項１１記載の受信機。
【請求項１４】
前記チャネルフィルタが前記シグナルプロセッサに接続した技術標準選択回路をさらに含み、前記技術標準選択回路が前記入力ＲＦ信号のフォーマットを指示する選択信号を生じ、前記シグナルプロセッサが前記選択信号に応答してＦＩＲフィルタを選択する請求項１１記載の受信機。
【請求項１５】
前記技術標準選択回路がユーザからの入力信号に応答して前記選択信号を生ずる請求項１４記載の受信機。
【請求項１６】
前記技術標準選択回路が、前記入力ＲＦ信号の前記フォーマットの一つを特定する搬送波信号の検出により前記選択信号を生ずる請求項１４記載の受信機。
【請求項１７】
前記入力ＲＦ信号が、地上波放送から受けたＲＦ信号、衛星放送から受けたＲＦ信号、およびケーブル伝送から受けたＲＦ信号を含む請求項１記載の受信機。
【請求項１８】
入力無線周波数（ＲＦ）信号を受信する方法であって、
複数のフォーマットの一つで情報を符号化した前記入力ＲＦ信号を受信する過程と、
前記入力ＲＦ信号を、中間周波数を有する中間周波信号に変換する過程と、
前記中間周波信号に第１のフィルタ機能、すなわち中心周波数を有し折返し除去フィルタである第１のフィルタ機能を適用する過程と、
前記フィルタ処理した中間周波信号をサンプリング周波数、すなわち前記中心周波数とともに前記中間周波数の関数であるサンプリング周波数でディジタル化する過程と、
前記入力ＲＦ信号の前記フォーマットにしたがって前記ディジタル化ずみの信号を信号処理し、前記入力ＲＦ信号に符号化された情報を表すディジタル出力信号を生ずる過程と
を含む方法。
【請求項１９】
前記複数のフォーマットがアナログテレビジョンフォーマットとディジタルテレビジョンフォーマットとを含む請求項１８記載の方法。
【請求項２０】
前記ディジタル化信号を信号処理する過程を前記入力ＲＦ信号の前記フォーマットを表す選択信号に応答して行う請求項１８記載の方法。
【請求項２１】
前記入力ＲＦ信号の前記フォーマットを特定する前記入力ＲＦ信号中の搬送波信号を検出することによって前記選択信号を生ずる過程
をさらに含む請求項２０記載の方法。
【請求項２２】
（削除）
【請求項２３】
前記信号処理ずみのディジタル化信号を復調して、前記入力ＲＦ信号の前記フォーマットに対応するベースバンド信号を生ずる過程
をさらに含む請求項１８記載の方法。
【発明の詳細な説明】
【技術分野】
【０００１】
この発明はテレビジョン信号受信機に関し、より詳しくいうと、この発明は複数の技術標準に準拠したアナログテレビジョン信号、ディジタルテレビジョン信号およびデータチャネルの受信のための広帯域テレビジョン信号受信機に関する。
【背景技術】
【０００２】
テレビジョン受信機またはビデオレコーダは、地上波放送、ケーブルテレビジョン、または衛星放送のテレビジョン信号を受信して、それら信号を表示または録画に適合したビデオ信号の形に信号処理するのにテレビジョン信号受信機（またはテレビジョン受信機）を備える。テレビジョン信号はアナログフォーマットまたはディジタルフォーマットで、多様な技術標準に準拠して、送信される。アナログテレビジョン送信には、ＮＴＳＣ、ＰＡＬ、ＳＥＣＡＭなどの標準方式が広く用いられている。一方、ディジタルテレビジョン放送には、ＤＶＢ（ディジタルビデオ放送）フォーマットおよびＡＴＳＣ（高度テレビジョン標準委員会）フォーマットが利用できる。互いに相異なる信号フォーマットおよび技術標準には相互に互換性がないので、テレビジョン受信機は、通常は、特定のアナログフォーマットまたはディジタルフォーマットに適合し特定の技術標準に準拠して製造される。したがって、テレビジョン受像機およびビデオ録画装置は、特定の標準方式の採用されている地域だけで使用できる地域専用の装置である。
【０００３】
マルチスタンダード装置は周知である。たいていの場合は、マルチスタンダード装置は、互いに異なるフォーマットでいくつかの技術標準に準拠したテレビジョンを受信するのに必要なハードウェアを重複させて組み立てる。その結果、装置の複雑さは高まり、製造コストも高くなる。
【０００４】
図１は慣用のテレビジョン受信機１０のブロック図である。この受信機１０は二つの主要機能を有する。まず、受信機１０は入来無線周波数（ＲＦ）信号を受信してその信号を中間周波数（ＩＦ）信号に周波数変換する。次に、受信機１０はＩＦ信号をベースバンド信号に信号変換する。このベースバンド信号を適当なビデオおよびオーディオデコーダに加えて表示（ＲＧＢ）信号または音声信号を生ずる。
【０００５】
図１を参照すると、このテレビジョン受信機１０は入力ＲＦ信号を入力端子１２に受けてそのＲＦ信号を１段または２段の周波数変換によりＩＦ信号に変換する。これら周波数変換は１段または２段のスーパーへテロダイン変換で通常行う。慣用のテレビジョン受信機では、中間周波数は受信機の使われる地域によって定まる。現在のところ、世界中で五つの互いに異なる中間周波数が採用されている。例えば、米国では、このＩＦは４１乃至４７ＭＨｚである。
【０００６】
テレビジョン受信機１０はチャネルフィルタ１８と、上記ＩＦ信号をビデオ／オーディオベースバンド信号に変換する復調器２０とを備える。チャネルフィルタ１８は、ＳＡＷ（弾性表面波）フィルタとして具体化される個別フィルタで通常は構成する。ＳＡＷフィルタの形状は、受信すべきテレビジョン信号の信号フォーマット（アナログＴＶまたはディジタルＴＶ）およびＴＶ標準方式（ＮＴＳＣ、ＰＡＬまたはＳＥＣＡＭ）に適合させて設計する。復調器２０は通常は専用部品で構成し、所定の信号フォーマットおよび所定の標準方式に適合させて設計する。
【０００７】
テレビジョン受信機１０がマルチスタンダード受信機である場合は、各々を特定のフォーマットおよび技術標準に合致させて設計したチャネルフィルタ１８ａ乃至１８ｃのフィルタバンクを備える。マルチスタンダード受信をサポートするために、対応のチャネルフィルタからフィルタ出力をそれぞれ受ける復調器２０ａ乃至２０ｃの復調器バンクを備える。アナログテレビジョン信号受信に対しては、復調器はＶＩＦ／ＳＩＦモジュールで構成する。このＶＩＦ／ＳＩＦモジュールは、ＣＶＢＳ（複合ビデオベースバンド信号）と呼ばれるビデオ出力と、ＭＰＸまたはＡ２などのオーディオ出力を生ずる。ディジタルテレビジョン信号受信に対しては、復調器は通常ダウンコンバータ、Ａ−Ｄ変換器およびそれら以外の復調動作実施のためのサポート回路を含むディジタル復号器で構成する。このディジタル復号器はＭＰＥＣデータストリームの形でデータを出力する。
【０００８】
上述の慣用のマルチスタンダードテレビジョン受信機にはいくつかの欠点がある。まず、このテレビジョン受信機は個別アナログ回路部品およびディジタル回路部品を用いている。また、これらの受信機は通常寸法が大きく製造コストが高い。次に、この慣用のマルチスタンダードテレビジョン受信機は、互いに異なるＴＶ標準方式のサポートのために、回路部品を重複して備える必要がある。したがって、この種のマルチスタンダードテレビジョン受信機は寸法が大きく製造コストが高い。
【０００９】
【特許文献１】ＷＯ  ０１／２０７９２
【特許文献２】ＵＳＰ  ６  ６４３  ５０２
【特許文献３】ＵＳＰ  ６  ３６９  ８５７
【発明の開示】
【発明が解決しようとする課題】
【００１０】
したがって、製造の際に費用効率が高く、多様な送信源からのテレビジョン信号の受信において受容可能な性能を発揮するマルチスタンダードテレビジョン受像機を提供するのが望ましい。
【課題を解決するための手段】
【００１１】
この発明の一つの実施例によると、受信機にチューナとチャネルフィルタとを備える。チューナは多数のフォーマットの中の一つで情報を符号化した入力ＲＦ信号を受信し、それら入力ＲＦ信号を中間周波数（ＩＦ）の中間周波信号に変換する。
【００１２】
これら中間周波信号をチャネルフィルタに加える。チャネルフィルタは、上記中間周波信号のフィルタ処理のための折返し除去フィルタと、フィルタ処理ずみの中間周波信号をサンプリングしてその中間周波信号の対応ディジタル値を生ずるＡＤ変換器と、前記中間周波信号のディジタル表示を前記入力ＲＦ信号のフォーマットにしたがって信号処理するシグナルプロセッサとを含む。シグナルプロセッサは、前記入力ＲＦ信号に符号化されている情報を表すディジタル出力信号を生ずる。
【００１３】
一つの実施例では、上記入力ＲＦ信号のフォーマットとしてアナログテレビジョン信号およびディジタルテレビジョン信号などがある。
【００１４】
もう一つの実施例では、上記受信機に、シグナルプロセッサからのディジタル出力をそれぞれ受けるようにそれぞれ接続した復調器のバンクをさらに備える。これら復調器の各々が入力ＲＦ信号のフォーマットの一つにしたがって上記ディジタル出力信号を復調するように動作し、対応のビデオおよびオーディオベースバンド信号を生ずる。
【発明の効果】
【００１５】
小型化した低コストのマルチスタンダードＴＶ受信機を提供できる。
【発明を実施するための最良の形態】
【００１６】
この発明の原理によると、テレビジョン（ＴＶ）受信機は、多様なテレビジョン標準方式およびフォーマットでテレビジョン信号を受信するのに適合したプログラム可能な中間周波数を有するマルチスタンダードチャネルフィルタを含む。一つの実施例では、このチャネルフィルタはテレビジョン信号の標準方式またはフォーマットに関わりなく予め選んだ中間周波数を通過させる。動作時には、このチャネルフィルタは入来テレビジョン信号をディジタル化し、そのテレビジョン信号の信号処理をディジタル的に行う。すべての信号の処理をディジタル領域で行うことによって、この発明のＴＶ受信機は、ＳＡＷフィルタなどのアナログ部品を不要にする。すなわち、この発明のＴＶ受信機は、受信機の寸法および製造コストを減らすように一つの集積回路上に集積化することが容易にできる。また、この発明のＴＶ受信機は、マルチスタンダード受信をサポートするのに同一の回路モジュールを再構成して、回路部品の重複配置を不要にする。
【００１７】
図２はこの発明の一つの実施例によるＴＶ受信機のブロック図である。図２を参照すると、ＴＶ受信機５０はアンテナまたはケーブル経由の入力ＲＦ信号を入力端子５２に受ける。これら入力ＲＦ信号をチューナ５４に加え、このチューナ５４で入力ＲＦ信号を１段または２段の周波数変換により中間周波信号に変換する。チューナ５４は、例えば、単一段または二段スーパーへテロダイン周波数変換を行うことができる。この発明の一つの実施例では、チューナ５４は市販の個別部品で構成され、中間周波数（ＩＦ）、すなわち地域ごとに定められたＩＦを有する中間周波信号を出力する。すなわち、上記チューナ５４からのＩＦは各地域ごとに世界全体で定められた標準に準拠している。
【００１８】
この発明の一つの実施例では、チューナ５４は受信機５０の一体化した部品である。その場合は、チューナ５４は任意の値の中間周波数の中間周波信号を生ずるように設計できる。チューナからの中間周波数は全世界的に定められたＩＦと同じ値でも異なる値でも差し支えない。より重要なことは、ＴＶ受信機５０がマルチスタンダードチャネルフィルタ５８を備えるので、チューナ５４からのＩＦを任意の技術標準のアナログＴＶ信号、またはディジタルＴＶ信号の受信のためのＩＦと同じ周波数にできることである。一体化したチューナのＩＦの値は設計選択事項である。一つの実施例では、このＩＦを２０ＭＨｚ以上に選んである。
【００１９】
次に、ＴＶ受信機５０は、チューナ５４からの中間周波信号のフィルタ処理および信号処理にマルチスタンダードチャネルフィルタ５８を用いる。マルチスタンダードチャネルフィルタ５８は折返し除去フィルタ６０と、ＡＤ変換器６２と、ディジタルシグナルプロセッサ（ＤＳＰ）６４とを含む。上述のとおり、チャネルフィルタ５８は、任意の中間周波数の中間周波信号をチューナ５４から受けることができる。また、チャネルフィルタ５８は入来ＴＶ信号をディジタル化してそれ以降の信号処理をディジタル領域で行う。すなわち、ＡＤ変換器６２で適切なサンプリング周波数を用い、ＤＳＰ回路で適切なシグナルプロセシング機能を用いることによって、チャネルフィルタ５８は任意のフォーマット（アナログまたはディジタル）および任意の技術標準（ＮＴＳＣ、ＰＡＬ、ＡＴＳＣ）のＴＶ信号を処理できる。
【００２０】
折返し除去フィルタ６０はチューナ５４からの中間周波信号の事前処理を行って、ＡＤ変換器６２で中間周波信号が引き続きサンプリングされディジタル化される際の特性折返しを除去する。一つの実施例では、この折返し除去フィルタ６０はＳＡＷフィルタで構成できる。もう一つの実施例では、折返し除去フィルタ６０は図３に示すとおりキャパシタおよびインダクタの利用により構成できる。さらに他の実施例では、折返し除去フィルタ６０は、図４に示すとおり、トランスコンダクタ（ｇｍＣ）９９で具体化できる。フィルタ処理のあと、ＡＤ変換器６２はフィルタ処理ずみの中間周波信号をサンプリングしてその中間周波信号のディジタル値を生ずる。この発明では、ＡＤ変換器６２は１０ビット変換器であって、１秒あたり４０メガサンプルまでのサンプリング速度で動作する。
【００２１】
折返し除去フィルタ６０の中心周波数およびＡＤ変換器６２のサンプリング周波数は、中間周波数に基づいて選ぶ。一つの実施例では、これらフィルタ６０の中心周波数およびＡＤ変換器６２のサンプリング周波数を中間周波信号の帯域幅の少なくとも２倍に設定する。折返し除去フィルタ６０を図４に示すとおりトランスコンダクタで構成した場合は、折返し除去フィルタ６０の中心周波数をトランスコンダクタ９９の電圧Ｖｃｔｒｌを変動させることによって調整できる。この実施例では、折返し除去フィルタ６０の中心周波数およびＡＤ変換器６２のサンプリング周波数の調整のために同調制御回路６７が備えてある。この同調制御回路６７は、ユーザからの手動の制御信号などＴＶ受信機５０の外部からの制御信号を受けることができる。同調制御回路６７は中間周波信号の周波数の自動検出も可能であり、したがって上記折返し除去フィルタおよびＡＤ変換器の動作周波数の調整も可能である。
【００２２】
中間周波数をフィルタ処理しディジタル化したのち、ディジタル化出力をＤＳＰ６４で信号処理する。ＤＳＰ６４は、入力ＲＦ信号が準拠している技術標準に従ってこれらディジタル信号を信号処理する。
【００２３】
この実施例では、チャネルフィルタ５８は、いくつかのアナログテレビジョン技術標準とディジタルテレビジョン技術標準から所望の技術標準を選択する技術標準選択回路６８を備える。ＤＳＰ６４は、インパルス応答特性などの所要フィルタ機能を、選択回路６８の状態に応じて、上記ディジタル信号に適用する。一つの実施例では、それらフィルタ機能の係数をメモリ７０の参照テーブルに記憶しておく。ＤＳＰ６４がそれら係数をメモリ７０から読み出して、入来ディジタル信号の処理に適用する。
【００２４】
ＤＳＰ６４はプログラム可能で再構成可能（reconfigurable）なプロセッサである。この実施例では、ＤＳＰ６４は、選ばれたＴＶ技術標準に基づき再構成される有限インパルス応答（ＦＩＲ）フィルタを実動化する。また、この実施例では、ＤＳＰ６４は、演算時間の高速化のために二つの演算ユニットを備える。より詳細に述べると、周波数領域における真数部および虚数部のフィルタ動作を同時並行的に行うようにしてある。もう一つの実施例では、ＤＳＰ６４に演算ユニット一つだけを備える。
【００２５】
技術標準選択回路６８は多様な方法で具体化できる。所望の技術標準をユーザがスイッチ操作などにより手動で行うこともでき、受信機５０にオーディオ検出機能を持たせることによって自動的に行うこともできる。この実施例では、自動検出を、ＴＶ技術標準を特定する搬送波信号がベースバンド信号中に有るか否かの検出によって行う。例えば、アナログＴＶ信号はアナログビデオ搬送波信号の存在によって特定でき、ディジタルＴＶ信号はパイロット搬送波の存在によって特定できる。復調器バンク６６の中の各復調器は、技術標準選択回路６８に饋還されて符号化対象の入力信号の準拠技術標準を表示する信号を発生する。もう一つの実施例では、互いに異なる技術標準の選択に上記以外の手段を用いることができる。
【００２６】
入力ＲＦ信号がアナログＴＶ信号である場合は、ＤＳＰ６４はディジタル化信号にビデオフィルタ機能および音声フィルタ機能を適用してビデオ信号をオーディオ信号から分離する。これらビデオフィルタおよびオーディオフィルタはＦＩＲフィルタとして具体化できる。それらフィルタの特性の例を図５に示す。ＤＳＰ６４には、入力信号への干渉成分の軽減のためのゴースト消去など、上記以外の機能を持たせることもできる。その場合はフィルタ応答はチャネル応答測定値から誘導する。
【００２７】
入力ＲＦ信号がディジタルＴＶ信号である場合は、ＤＳＰ６４はそれらディジタル化信号にフィルタ処理を施す。このフィルタ処理はＦＩＲフィルタの形で具体化する。一つの例はＡＴＳＣ−ＶＳＢ技術標準であって、その標準の場合は、フィルタ応答特性を０．１１４ロールオフのraised root cosine（ＡＴＳＣ  Ａ−８３規格参照）とする。さらに、エコー消去用（マルチパス）等化器など付加的フィルタ機能もＤＳＰ６４で具体化できる。その場合もフィルタ応答特性はチャネル応答測定値から誘導する。
【００２８】
チャネルフィルタ５８の出力信号を、復調器バンク６６に加えてビデオベースバンド信号およびオーディオベースバンド信号を生ずる。これらビデオ／オーディオベースバンド信号をビデオ／オーディオデコーダで復号化してディスプレイ装置に表示する。
【００２９】
この実施例では、復調器６６は、アナログＴＶ信号用復調器６６ａ、ディジタルＴＶ信号用復調器６６ｂおよびディジタルデータチャネル用復調器６６ｃを備える。
【００３０】
アナログ復調器６６ａはアナログＴＶ信号をディジタル領域で復調する。復調器６６ａがアナログ入力信号だけを受ける場合は、ＤＡ変換器（図示してない）をＤＳＰ６４の出力端子と復調器６６ａの入力端子との間に配置することができる。
【００３１】
アナログ復調器６６ａは三つの信号、すなわちビデオ情報とオーディオ情報を含むオーディオ１並びに２から成る複合ビデオベースバンド信号（ＣＶＢＳ）とを生ずる。オーディオ１信号およびオーディオ２信号はＡＭ信号でもＦＭ信号でもインタキャリア信号でも差し支えない。インタキャリア信号は原音声の任意のフォーマットを含み得る信号である。この信号は通常は外部オーディオデコーダから供給する。標準方式準拠出力信号を用いることによって、ＴＶ受信機５０はビデオデコーダおよび音声デコーダなどの標準方式準拠コンポーネントと容易にインタフェースをとることができ、既存のＴＶ受像システムコンポーネントとの互換性を確保できる。アナログ出力信号が望ましい場合は、付加的ＡＤ変換器を復調器６６ａの出力端子に接続する。
【００３２】
復調器６６ｂは入来ディジタルＴＶ信号を復調するように動作する。通常は、ディジタルＴＶ信号はＶＳＢ、ＱＡＭまたはＣＯＦＤＭスキームで変調されている。復調器６６ｂはＭＰＥＧデータストリームを出力信号として生じ、他の既存のＴＶコンポーネントとの間で互換性を確保する。
【００３３】
この発明の一つの実施例では、ＴＶ受信機５０は、チューナ５４，チャネルフィルタ５８および復調器６６すべてを同一の集積回路チップ上に集積した集積回路で構成する。もう一つの実施例では、ＴＶ受信機５０は二つ以上の集積回路チップの形で製造できる。
【００３４】
この発明の上述のＴＶ受信機は多様な利点を備える。
【００３５】
まず、このＴＶ受信機はマルチスタンダードアナログＴＶ信号またはディジタルＴＶ信号、および放送データチャネルを受信する広帯域受信機として構成できる。また、このＴＶ受信機は互いに異なるＴＶ標準方式のアナログＴＶチャネルからの信号を受信するように構成できる。すなわち、このＴＶ受信機はＴＶ信号受信を世界中の任意の地域で受信するように適合できる。
【００３６】
第２に、この発明によるＴＶ受信機は任意の方法で分配されているＴＶ信号の受信に用いることができ、優れた受信性能を発揮する。すなわち、この発明のＴＶ受信機は地上波ＴＶ放送およびケーブルＴＶ伝送の受信に用いることができる。
【００３７】
第３に、この発明のＴＶ受信機はＳＡＷフィルタなどのアナログ回路部品を不要にする。したがって、フィルタ機能、等化器機能、ゴースト消去機能およびビデオ／オーディオスプリッサ機能などのＴＶ受信機内回路モジュールのすべてを同一の集積回路中に集積化することができる。回路部品の集積化度合いを高めることによって、ＴＶ受信機の寸法および製造コストを低減できる。
【００３８】
最後に、この発明のＴＶ受信機は既存のコンポーネントとの間で互換性のあるインタフェースを提供できる。より詳しくいうと、このＴＶ受信機は、アナログＴＶ標準方式、およびディジタルＴＶ標準方式と互換性のあるビデオ、オーディオおよびＭＰＥＧ出力信号を生じ、したがってこの受信機は既存のＴＶシステムに容易に適応できる。
【００３９】
上述の詳細な説明はこの発明の特定の実施例を例示するためのものであって、発明の限定を意図するものではない。この発明の範囲内で多数の変形および改変が可能である。この発明は添付の特許請求の範囲の各請求項で画定される。
【産業上の利用可能性】
【００４０】
複数の標準方式に互換性を持つ小型ＴＶ受信機を費用効率よく提供できる。
【図面の簡単な説明】
【００４１】
【図１】慣用のマルチスタンダードテレビジョン受信機のブロック図。
【図２】この発明の一つの実施例によるテレビジョン受信機のブロック図。
【図３】図２の折返し除去フィルタの構成に利用できる折返し除去フィルタの回路図。
【図４】図２の折返し除去フィルタの構成に利用できる折返し除去フィルタの回路図。
【図５】図２のアナログテレビジョン信号処理用ＤＳＰの中に具体化できるフィルタ機能の特性図。
【符号の説明】
【００４２】
１０      ＴＶ受信機
１２      入力端子
１４      チューナ
１８      チャネルフィルタ
２０      復調器
５０      ＴＶ受信機
５２      入力端子
５４      チューナ
５８      チャネルフィルタ
６６      復調器
【図１】
2007519365.tif 000003
【図２】
2007519365.tif 000004
【図３】
2007519365.tif 000005
【図４】
2007519365.tif 000006
【図５】
2007519365.tif 000007
【国際調査報告】
2007519365.tif 000008
2007519365.tif 000009
2007519365.tif 000010